【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】  パッケージ追跡用の統合データ収集伝送システムであって、
パッケージ追跡データの収集及び記憶ができ、赤外線通信ポート及びマイクロラジオの一方を含むデータ収集ターミナルと、
前記データ収集ターミナルに関係した少なくとも１つの周辺装置であって、赤外線通信ポート及びマイクロラジオの一方を含み、前記データ収集ターミナルから少なくとも１つの通信を受信すると共に、前記少なくとも１つの受信した通信に基づいたパッケージ追跡に関係した事前に選択した動作を実行する少なくとも１つの周辺装置と、
前記データ収集ターミナルに関係した中間データ記憶装置であって、前記データ収集ターミナルから前記収集且つ記憶したパッケージ追跡データを受信する赤外線通信ポート及びマイクロラジオの一方を含む中間データ記憶装置と、
前記中間データ記憶装置と通信可能であって、前記中間データ記憶装置から前記収集且つ記憶したパッケージ追跡データを受信すると共に、前記収集且つ記憶したパッケージ追跡データに基づいたアクセス自在のパッケージ追跡データベースを維持する中央データ収集設備とを備えていることを特徴とするパッケージ追跡用の統合データ収集伝送システム。
【請求項２】  前記データ収集ターミナル及び前記少なくとも１つの周辺装置との間の通信が、自動的に起こる請求項１に記載のパッケージ追跡用の統合データ収集伝送システム。
【請求項３】  前記データ収集ターミナル及び前記少なくとも１つの周辺装置との間の通信が、前記データ収集の利用者により起動される請求項１に記載のパッケージ追跡用の統合データ収集伝送システム。
【請求項４】  前記少なくとも１つの通信が１組の命令である請求項１に記載のパッケージ追跡用の統合データ収集伝送システム。
【請求項５】  前記赤外線通信ポート及びマイクロラジオの前記一方が、前記統合データ収集伝送システムの２つの装置が所定の動作距離及び向き内にある時には前記２つの装置間にある請求項１に記載のパッケージ追跡用の統合データ収集伝送システム。
【請求項６】  前記少なくとも１つの周辺装置が、プリンタを備え、且つ、前記事前に選択した動作が、パッケージ追跡情報を含むラベル及びレシートの一方の印刷を含む請求項１に記載のパッケージ追跡用の統合データ収集伝送システム。
【請求項７】  前記少なくとも１つの周辺装置が、顧客のＰＣに連結されたデータ転送装置を備え、且つ、前記事前に選択された動作が、前記顧客のＰＣから前記データ転送装置内に収容された赤外線通信ポート及びマイクロラジオの一方を介して前記データ収集ターミナルへパッケージ追跡情報を伝送する請求項１に記載のパッケージ追跡用の統合データ収集伝送システム。
【請求項８】  前記少なくとも１つの周辺装置が、規制されたアクセスを有する格納設備を備え、且つ、前記事前に選択された動作が前記格納設備へのアクセスを提供することを含む請求項１に記載のパッケージ追跡用の統合データ収集伝送システム。
【請求項９】  前記少なくとも１つの周辺装置が、配達人に格納設備の内容を通知できる警告装置を備える請求項１に記載のパッケージ追跡用の統合データ収集伝送システム。
【請求項１０】  前記少なくとも１つの周辺装置が、キーレスエントリ装置を備え、且つ、前記事前に選択された動作が、パッケージ配達車両及びパッケージ分別設備の一方のドアを開放することを備える請求項１に記載のパッケージ追跡用の統合データ収集伝送システム。
【請求項１１】  前記中間記憶装置が、前記収集且つ記憶したパッケージ追跡データを前記データ収集ターミナルから受信すると共に、斯かるデータを前記中央収集設備へ送り且つ発送情報を受信する車両に搭載したデータ収集ターミナルを備える請求項１に記載のパッケージ追跡用の統合データ収集伝送システム。
【請求項１２】  前記中間記憶装置が、前記データ収集ターミナルから前記収集及び記憶されたパッケージ追跡データを受信すると共に、斯かるデータを前記中央収集設備へ送り且つ発送情報を受信する携帯データターミナルを備える請求項１に記載のパッケージ追跡用の統合データ収集伝送システム。
【請求項１３】  前記データ収集ターミナルが、バッテリ電源及び前記バッテリ電源の相対電源容量及び前記バッテリ電源を表す記憶された情報を決定するシステムを含み、且つ、前記データ受信装置が、前記データ収集ターミナルが前記データ受信装置内に配置されると、前記バッテリ電源を表す前記記憶された情報に応答して前記バッテリ電源を再充電する請求項１に記載のパッケージ追跡用の統合データ収集伝送システム。
【請求項１４】  前記データ記憶装置が、コンベヤベルトに連結されたコンベヤ装置を備え、前記コンベヤ装置が、前記データ収集ターミナルから情報を受信し且つ斯かる情報を前記中央データ収集設備へ伝送する請求項１に記載のパッケージ追跡用の統合データ収集伝送システム。
【請求項１５】  前記データ記憶装置が、前記データ収集ターミナルから情報を受信し且つ斯かるデータを電話回線を介して前記中央データ収集設備へ伝送するインタフェース装置を備える請求項１に記載のパッケージ追跡用の統合データ収集伝送システム。
【請求項１６】  前記中間記憶装置が、複数のデータ収集ターミナル及び前記中央データ収集設備間で双方向のデータ転送を可能とするデータトランシーバを備える請求項１に記載のパッケージ追跡用の統合データ収集伝送システム。
【請求項１７】  前記データトランシーバが、前記データ収集ターミナルのバッテリを再充電する再充電器を含む請求項１６に記載のパッケージ追跡用の統合データ収集伝送システム。
【請求項１８】  前記データ収集装置のメモリが、前記データトランシーバによる転送がなされると同時に空にされる請求項１６に記載のパッケージ追跡用の統合データ収集伝送システム。
【請求項１９】  前記中間データ記憶装置が、身体に装着自在のデータ収集装置を備える請求項１に記載のパッケージ追跡用の統合データ収集伝送システム。
【請求項２０】  前記データ記憶装置が、
前記データ記憶装置内に情報を受信するマイクロラジオと、
前記データ記憶装置に電力を供給する電源と、
前記データ記憶装置からの情報を転送する中レンジラジオと、
前記データ記憶装置内のデータを格納するメモリと、
を備える請求項１９に記載のパッケージ追跡用の統合データ収集伝送システム。
【請求項２１】  前記データ記憶装置が、前記収集記憶したパッケージ追跡データを前記中央データ収集設備の１つ及び第２の中間記憶装置へ伝送する請求項１９に記載のパッケージ追跡用の統合データ収集伝送システム。
【請求項２２】  前記データ収集ターミナルが、バッテリを動力源とすると共に、前記情報ディスプレーにバッテリ使用及び電力レベルに関する情報を提供できるスマートバッテリシステムを含む請求項１に記載のパッケージ追跡用の統合データ収集伝送システム。
【請求項２３】  前記スマートバッテリシステムが、事前に選択した電力レベルで前記データ収集ターミナルを停止する請求項２２に記載のパッケージ追跡用の統合データ収集伝送システム。
【請求項２４】  前記スマートバッテリシステムが、前記データ収集ターミナルが消費した電力を定期的に決定して、斯かる決定に基づいて前記データ収集ターミナルの出力または動作の少なくとも一方を制御する請求項２２に記載のパッケージ追跡用の統合データ収集伝送システム。
【請求項２５】  前記スマートバッテリシステムが、前記の電力消費の決定に基づいて該バッテリが再充電される方法を制御する請求項２４に記載のパッケージ追跡用の統合データ収集伝送システム。
【請求項２６】  前記データ収集ターミナルが、更に、
データ収集に関する情報を表示する情報ディスプレーと、
中央処理装置（ＣＰＵ）と、
前記中央処理装置に接続されており、データ収集に関係する情報を格納するメモリと、
データ収集に関係する情報を前記データ収集ターミナルに入力する手段と、
前記中央処理装置に接続されており、前記データ収集ターミナルに電力を供給する電源と、
を備える請求項１に記載のパッケージ追跡用の統合データ収集伝送システム。
【請求項２７】  前記入力手段が、キーボードを備える請求項２６に記載のパッケージ追跡用の統合データ収集伝送システム。
【請求項２８】  前記情報入力手段が、バーコードスキャナを含む請求項２６に記載のパッケージ追跡用の統合データ収集伝送システム。
【請求項２９】  前記入力手段が、タッチスクリーンを備える請求項２６に記載のパッケージ追跡用の統合データ収集伝送システム。
【請求項３０】  前記情報ディスプレーが、スタイラス装置からの情報を受信できる請求項２９に記載のパッケージ追跡用の統合データ収集伝送システム。
【請求項３１】  前記データ収集ターミナルが、パッケージ発送に関する記憶データを含み且つ斯かるデータを前記タッチスクリーンへ出力する請求項２６に記載のパッケージ追跡用の統合データ収集伝送システム。
【請求項３２】  前記蓄積データが、発送コスト、顧客データ、共通顧客リスト、現金取り扱い顧客、国際配達情報、発送情報、配達人入力情報、危険物情報、命令情報、実績フィードバック、最新ニュース、サービス参照ガイド、地図、郵便番号情報、及び住所確認の少なくとも１つを備える請求項３１に記載のパッケージ追跡用の統合データ収集伝送システム。
【請求項３３】  前記少なくとも１つの周辺装置が、パッケージの集荷が成されたか否かを顧客に通知する警告装置を備える請求項１に記載のパッケージ追跡用の統合データ収集伝送システム。
【請求項３４】  前記格納設備が、前記データ収集ターミナルからの通信に応答して開閉される錠を備えたドロップボックスである請求項３３に記載のパッケージ追跡用の統合データ収集伝送システム。
【請求項３５】  前記警告装置が、格納設備に連結され、且つ、前記少なくとも１つの通信が、前記警告装置を起動して顧客にパッケージが既に収集されていることを通知する請求項３３に記載のパッケージ追跡用の統合データ収集伝送システム。
【請求項３６】  前記警告装置が、回転自在のホイール及び関係した電子部品を備える請求項３５に記載のパッケージ追跡用の統合データ収集伝送システム。
【請求項３７】  前記格納設備が、ドロップボックスである請求項３５に記載のパッケージ追跡用の統合データ収集伝送システム。
【請求項３８】  前記警告装置が、情報ディスプレーを備える請求項３５に記載のパッケージ追跡用の統合データ収集伝送システム。
【請求項３９】  前記情報ディスプレーが、ＬＣＤ、一連のＬＥＤ及び真空蛍光ディスプレーの１つを備える請求項３８に記載のパッケージ追跡用の統合データ収集伝送システム。
【請求項４０】  統合データ収集伝送システムを使用してパッケージデータを追跡する方法であって、
バーコードスキャナを使用してパッケージ追跡データを収集且つ記憶する段階と、
指令に基づいてパッケージ追跡に関した事前に選択した動作を実行する周辺装置へ赤外線通信リンク及びマイクロラジオリンクの一方を介して通信を伝送する段階と、
前記赤外線通信リンク及びマイクロラジオリンクの一方を介して前記収集且つ記憶したパッケージ追跡データを中間データ記憶装置へ伝送する段階と、
中央データ機能へ前記収集且つ記憶したパッケージ追跡データを伝送する段階と、
前記収集且つ記憶したパッケージ追跡データに基づいたアクセス自在のパッケージ追跡データベースを維持する段階とを備えていることを特徴とするパッケージデータを追跡する方法。
【請求項４１】  統合データ収集伝送システムの構成要素中の選択した構成要素間に共通の赤外線通信リンク及びマイクロラジオの一方を有する統合データ収集伝送システムであって、
１つ以上のバーコードスキャナであって、メモリ、情報ディスプレー、ＣＰＵ、前記装置へ情報を入力するキーボード、前記バーコードスキャナ中の他のバーコード装置を含んだ前記システムの選択したその他の構成要素と通信する赤外線通信ポート及びマイクロラジオの一方を有する１つ以上のバーコードスキャナと、
前記１つ以上のバーコードスキャナの１つから情報を受信すると共に、前記システムの前記選択したその他の構成要素と通信する赤外線通信ポート及びマイクロラジオの一方を備えた１つ以上の中間データ記憶処理装置と、
前記１つ以上のバーコードスキャナの１つから印刷指令を受信する赤外線通信ポート及びマイクロラジオの一方を備えたプリンタと、
前記１つ以上の中間データ記憶処理装置へ且つ斯かる装置間でデータの受け入れ、記憶及び伝送を行う手段を備えた中央コンピュータとを備えていることを特徴とする統合データ収集伝送システム。
【請求項４２】  更に、１つ以上の中央ステーションを移送中の物品の格納、分別、積み込み及び搬送を行う場所に備え、前記１つ以上の制御ステーションが、前記システムのその他の選択した構成要素と通信をする赤外線通信ポート及びマイクロラジオの１つを有する請求項４１に記載のシステム。
【請求項４３】  更に、前記赤外線通信リンク及び前記マイクロラジオリンクの前記１つを介して通信される信号により起動される規制されたアクセスを有する１つ以上の記憶設備を備える請求項４１に記載のシステム。
【手続補正２】
【補正対象書類名】明細書
【補正対象項目名】００２９
【補正方法】変更
【補正の内容】
【００２９】
パワーパッド３００のキーボード２０５はタッチスクリーン３０１の一部として使用できるかまたは別体構成要素とすることができる事が分かる。このことはチャージャ光２０９に関しても同様である。
ＥＳＴ２００及びパワーパッド３００は複数の周辺装置１０２乃至１０５の１つ以上と通信することができる。図４は本発明に従って使用することが可能なプリンタの概略図である。